(57)【特許請求の範囲】
【請求項１】
薬液が充填された容器から突出して設けられた吸液芯を該吸液芯の周りに設けられた発熱体により加熱し、前記吸液芯に吸い上げられた薬液を蒸散させる加熱蒸散器であって、
リング状の前記発熱体を保持する発熱体保持部と、
前記発熱体保持部を、回動操作により前記吸液芯の軸方向に移動させる回動部と、
前記吸液芯が突出した前記容器を脱着自在に保持するとともに、前記回動部を回動可能に保持し、且つ前記発熱体のリングの中心が前記吸液芯の軸心上を動くように前記発熱体保持部の移動をガイドする本体と、を備え、
前記本体は、前記容器が装填される際に弾性変形して前記容器を複数方向から挟持し、内側に屈曲した先端の屈曲部で前記容器の底を支持する取付部と、前記回動部を回動自在に収納する段差部と、前記発熱体保持部に係合して前記発熱体保持部の前記吸液芯の軸方向への移動をガイドするガイド部とを有し、
前記回動部は、その表面に前記吸液芯と前記発熱体との距離を示す目盛を有し、
前記回動部を回動操作したとき、前記発熱体保持部が前記ガイド部にガイドされて前記吸液芯の軸方向に移動することにより前記発熱体と前記吸液芯との距離が変化し、前記距離が前記回動部の目盛で表されることを特徴とする加熱蒸散器。
【発明の詳細な説明】
【０００１】
【発明の属する技術分野】
本発明は、薬液が充填された芯付容器が狭持式取付部で保持可能な加熱蒸散器に関する。
【０００２】
【従来の技術】
加熱蒸散器には液体容器に吸液芯の一部を挿入し、液体容器外における吸液芯付近で発熱体によって吸液芯を加熱させ、液体容器内の液体を気化・蒸散させるものがある。この種の加熱蒸散器においては、容器の頸部に螺設せれた螺子を蒸散器本体に螺設された螺子と螺合させることにより、容器が本体に取り付けるものがある。
また、蒸散される量を調節可能にしたものが実開昭６２−４５９８６号公報に開示されている。ここで開示されるものでは、液体容器の螺合部に調節リングを挟入することで、発熱体に対する吸液芯の位置を変える構成、液体容器と外容器とを螺合構造とし、液体容器を回動調整することにより吸液芯の位置を変える構成、液体容器の底部に高さの異なる保持台を交換可能に備え、吸液芯の位置を変える構成、更に、液体容器を保持台に載置し、発熱体が固設された外容器の側壁にカム溝を形成し、液体容器が載置された保持台をカム溝に段階的に係合させることで、吸液芯の位置を変える構成などが提案されている。
【０００３】
【発明が解決しようとする課題】
しかしながら、容器と本体とを螺合する種類の加熱蒸散器では、螺合操作が面倒であるとともに、螺合不良により使用中に芯と発熱体とが接触してしまう場合がある。
一方、蒸散量を調整するために、調節リングや保持台を用いる構成のものでは、使用者がこれらの部材を着脱しなければならず、その管理が煩雑となり、使い勝手が悪いものであった。そして、これらの別部品を使用することとすれば、部品点数が多くなり、コストが高くなる問題もあった。また、液体容器と外容器とを螺合により調節する構成のものでは、液体容器の着脱操作が煩雑となる問題があった。更に、液体容器の載置された保持台をカム溝に係合させて移動調整する構成のものでは、カム部の係合精度が得にくく、発熱体と吸液芯とに位置ずれが生じる虞れもあった。
【０００４】
本発明は、上記の事情に鑑みてなされたもので、容器の着脱性を向上させるとともに、発熱体と吸液芯との接触を回避することができる加熱蒸散器を提供することを目的とする。
【０００５】
【課題を解決するための手段】
上記目的を達成するため本発明の加熱蒸散器の構成は、薬液が充填された容器から突出して設けられた吸液芯を該吸液芯の周りに設けられた発熱体により加熱し、前記吸液芯に吸い上げられた薬液を蒸散させる加熱蒸散器であって、リング状の前記発熱体を保持する発熱体保持部と、前記発熱体保持部を、回動操作により前記吸液芯の軸方向に移動させる回動部と、前記吸液芯が突出した前記容器を脱着自在に保持するとともに、前記回動部を回動可能に保持し、且つ前記発熱体のリングの中心が前記吸液芯の軸心上を動くように前記発熱体保持部の移動をガイドする本体と、を備え、前記本体は、前記容器が装填される際に弾性変形して前記容器を複数方向から挟持し、内側に屈曲した先端の屈曲部で前記容器の底を支持する取付部と、前記回動部を回動自在に収納する段差部と、前記発熱体保持部に係合して前記発熱体保持部の前記吸液芯の軸方向への移動をガイドするガイド部とを有し、前記回動部は、その表面に前記吸液芯と前記発熱体との距離を示す目盛を有し、 前記回動部を回動操作したとき、前記発熱体保持部が前記ガイド部にガイドされて前記吸液芯の軸方向に移動することにより前記発熱体と前記吸液芯との距離が変化し、前記距離が前記回動部の目盛で表されることを特徴とするものである。
【０００９】
上記構成による加熱蒸散器は、発熱体保持部によって吸液芯が発熱体と接触しない状態で保持されているとともに、ガイド部によって発熱体保持部が吸液芯の軸方向に移動するように支持されているため、発熱体と吸液芯との接触を防止することができる。
また、本体の取付部が、容器が装填される際に弾性変形するから、容器を圧入により装填することができ、また容器を取り外すときも容易であるから容器の着脱作業性が向上する。また、容器が取付部によって挟持される構造であるから、容器を確実に中心位置に位置決めしやすい。
上記構造の加熱蒸散器は、容器の頸部に螺子が螺設されていない場合でも、容器を本体に装填することができる。すると、従来の加熱蒸散器において問題であった、容器の頸部に螺旋状の溝を設けてこの溝に係合する溝が設けられた本体を上記容器に取り付ける際に吸液芯に発熱体が接触し、このとき、吸液芯における接触した箇所が過熱により吸液保持されている薬剤が高温により分解され、吸液芯が劣化することを回避できる。一方、従来の加熱蒸散器において同様に問題であった、吸液芯と発熱体との間隔が離れすぎることによって吸液芯において吸液保持された薬液に熱が行きとどかなくなることによって蒸散不良になることを回避できる。
【００１０】
【発明の実施の形態】
以下、本発明に係る加熱蒸散器の実施の一形態を図面を参照して詳細に説明する。
図１は本発明の一実施例を示す加熱蒸散器の外観斜視図、図２は加熱蒸散器の断面図、図３は加熱蒸散器に用いられる容器の外観斜視図、図４は加熱蒸散器の発熱体の外観斜視図である。
【００１１】
図１及び図２において、加熱蒸散器１は合成樹脂製の本体２と、本体２の脱着可能に取り付けられる容器３とより構成されている。
本体２は略Ｕ字型の部材で下部の開放口内には容器３を取り付けるための取付部４が形成されている。取付部４の一方の壁面４ａには台座５が突出してあって、台座５の中央部分には後述する容器３の側面に膨出した凸面３ａと嵌合する凹面５ａが設けてある。台座５を設けた反対側の壁面４ｂには、容器３の他方の凸面３ｂを嵌合させるための丸孔６が設けてある。丸孔６は下端面に切欠部６ａが設けてあって、容器３の凸面３ｂの挿入を容易ならしめてある。そして、前記台座５の凹面５ａと丸孔６とによって容器３は弾性的に挟持されるようになっている。
【００１２】
上記取付部４の上部には、容器３の頸部７に嵌合する密接部材８が設けてある。密接部材８の内側には容器３の頸部７に密接する円錐台形の穴８ａが設けてあって、穴８ａの中心には後述する容器３から突出する吸液芯９を挿通させる芯穴８ｂが設けてある。密接部材８は本体２の内側にリング状に突設されたリング突起１０によって固定され、密接部材８の上方への移動は阻止されるように取り付けてある。密接部材８によって容器３は確実に位置決めされるようになっている。
【００１３】
上記密接部材８の上方に位置する前記壁面４ａと４ｂ側には段差部１１ａと１１ｂとが設けてあって、段差部１１ａと１１ｂとの内には回動部１２が回転自在に収納されている。回動部１２はリング状の部材で、外周面には目盛１３が設けてあり、内周面には螺旋状の雌ネジ部１４が設けてある。
回動部１２は前記段差部１１ａ、１１ｂをガイドとして時計方向または反時計方向のいずれへも回転されるようになっている。
【００１４】
前記回動部１２の雌ネジ部１４は、外周に雄ネジ部１５が刻まれた円筒体の発熱体保持部１６と噛合される。発熱体保持部１６の底部には発熱体１７がリング状に設けてあって、リング状の発熱体１７の中心には前記容器３の吸液芯９が所定の間隔をおいて配されるように構成されている。発熱体１７は前記回動部１２の回動によって、発熱体保持部１６の雄ネジ部１５を介して吸液芯９の軸方向へ上下動される。
発熱体保持部１６の内周面には前記本体２の上部より垂設された円筒体１８が係合し、この円筒体１８がガイド部として機能することで、発熱体保持部１６が吸液芯９の軸方向の移動自在に支持されつつ、スムースに案内される。また、発熱体保持部１６の外周には図４に示すように、円筒体の上下方向に複数の溝１９、１９が設けてあって、溝１９内には電気的接片２０が固設してあって、電気的接片２０と発熱体１７とはリード２１を介して電気的に導通されている（図２参照）。
【００１５】
上記電気的接片２０には本体２より突設された弾性的接片２２が弾接されており、弾性的接片２２は発熱体保持部１６の移動にかかわらず電気的接続を維持すると共に発熱体保持部１６の回り止めの作用を行なっている。
また、弾性的接片２２には本体２に設けたプラグ２３と導通されており、プラグ２３を家庭用コンセントに抜し込むことにより発熱体１７は吸液芯９を加熱するようになっている。加熱された吸液芯９の薬剤は本体２の円筒体１８の上部に設けられた通気孔２４を介して室内に蒸散される。
【００１６】
容器３は図３に示されるように、偏平状の尻張型容器の偏平面上には相対的位置に半球状の凸面３ａ、３ｂが設けてあり、上部に設けた注入口には外部が円錐台形の頸部７が締着されている。頸部７の中心には管状の吸液芯取出口７ａが一体的に設けてある。
吸液芯取出口７ａに挿通された吸液芯９は、使用する蒸散用薬剤によって変形や膨脹のない材質で、約１５０℃前後の耐熱性を有するものがよく、例えばフエルト芯、石綿芯を初めとして多くの部材が用いられる。また、薬剤としては殺虫剤、殺ダニ剤、忌避剤、芳香剤、消臭剤等の薬液が収納されている。
【００１７】
上述した容器３を本体２の下方より圧入すると、容器３の一方の凸面３ａは取付部４の台座５内の凹面５ａに、他方の凸面３ｂは取付部４内の丸孔６にそれぞれ嵌合固定される。この状態で容器３の頸部７は取付部４内の密接部材８に密接され、吸液芯９の先端は予め定められた位置（回動部１２の目盛を１とした時には発熱体１７の下面位置）にセットされる。
この状態でソケット２３を室内のコンセントに差し込み、回動部１２を回動すると発熱体１７は下がり吸液芯９を上方より徐々に覆い、吸液芯９を加熱するので薬液の蒸散は活撥化する。因に、目盛は５が最大値を示す状態で吸液芯９の露出部分を完全に覆った状態となるように設定してある。そして、容器３が空隙になった時には側面より引き抜けば容易に外すことができる。
【００１８】
なお、以上説明した例では、容器の両側に膨出する凸部を形成し、この凸部が本体の取付部で係合する場合を説明したが、図５に示されるように、容器５３の両側に凹部（図中点線）を形成するとともに、本体２の取付部にこれら凹部と係合する突起５５を形成して容器５３と本体２とが係合するようにしても良い。図５に示すように、突起５５は容器５３側の面が湾曲するように面取り部が形成されている。また、容器５３の図中下方端面縁部における、本体２の下方縁部と接触する箇所に、丸みを帯びるように湾曲した面取り部が形成されている。さらに、本体２の下方縁部における、容器５３と接触する箇所に、丸みを帯びるように湾曲した面取り部が形成されている。こうすることで、容器５３に突起５５と容易に取り付けることができる。
さらに、取付部の構造を容器が３方向から挟持されるようにしても良い。図６（ａ）、（ｂ）は、それぞれ断面図、底面図を示している。図６に示されるように、容器６３を挟持する各部材６６の先端が内側に屈曲され、容器６３の底をこれら屈曲部６７で支持するようにしても良い。図６に示した構造は、容器に何ら凹凸部が形成されていなくても良いため、通常形状の容器を使用することができる。図６に示すように、容器６３において、各部材６６の屈曲部６７と接触する箇所は面取り部が形成されている。また、屈曲部６７における、容器６３と接触する箇所も面取り部が形成されている。こうすることで、容器６３に各部材６６の屈曲部６７を容易に取り付けることができる。
なお、図５，６に示す加熱蒸散器において、容器における取付部に接触する箇所と該取付部のいずれか一方に面取り部が形成されていればよい。
【００１９】
【発明の効果】
以上詳細に説明したように、本発明の加熱蒸散器は、発熱体保持部によって吸液芯が発熱体と接触しない状態で保持されるとともに、ガイド部によって発熱体保持部が吸液芯の軸方向に移動するように支持されているため、発熱体と吸液芯との接触を防止することができる。また、本体の取付部が、容器が装填される際に弾性変形するから、容器を圧入により装填することができ、また容器を取り外すときも容易であるから容器の着脱作業性が向上する。この取付部は、凹凸部が形成されていない、通常形状の容器でも保持することができる。また、発熱体と吸液芯との距離を回動部に形成された目盛をみながら調節することができるので、所望の薬液を蒸散させることができる。
【図面の簡単な説明】
【図１】本発明の一実施例を示す加熱蒸散器の外観斜視図である。
【図２】図１の断面図である。
【図３】図１の加熱蒸散器に用いられる容器の外観斜視図である。
【図４】図１の加熱蒸散器の要部を示す発熱体保持部の外観斜視図である。
【図５】容器の他の取り付け構造を示す断面図である。
【図６】容器のさらに他の取り付け構造を示す断面図である。
【符号の説明】
１  加熱蒸散器
３  容器
４  取付部
９  吸液芯
１２  回動部
１３  目盛
１７  発熱体
【図１】
0003880053.tif 000002
【図２】
0003880053.tif 000003
【図３】
0003880053.tif 000004
【図４】
0003880053.tif 000005
【図５】
0003880053.tif 000006
【図６】
0003880053.tif 000007